(57)【要約】      （修正有）【課題】高級感のある弁当箱や贈答箱として使用できる簾箱を提供する。【解決手段】簾２に図柄Ｐを印刷し、この図柄Ｐを印刷した印刷面が表面となるように簾２を箱状に組み立てて、高級な弁当箱として用いることができるように構成する。なお、弁当箱としての使用態様を例示しているが、このような簾箱１は、贈答品を入れる贈答箱としても用いることができるものであり、例えば、内部に惣菜や地域の特産加工品等を入れて、贈答箱として土産物店あるいは配送センター等で用いることができ、簾２により高級感のある贈答箱となり、しかも内部に収納される贈答品の品位を良好に高めることができるものとなる。【選択図】図１
0003154718.tif 000002
【実用新案登録請求の範囲】
【請求項１】
簾に図柄を印刷し、印刷面が表面となるように該簾で箱体を形成したことを特徴とする簾箱。
【請求項２】
前記簾箱が弁当箱である請求項１に記載の簾箱。
【請求項３】
前記簾箱が贈答品を入れる贈答箱である請求項１に記載の簾箱。
【請求項４】
グラビア転写印刷により前記図柄が簾に印刷されていることを特徴とする請求項１または請求項２または請求項３に記載の簾箱。
【請求項５】
前記図柄が、春・夏・秋・冬を表わす季節の図柄である請求項１または請求項２または請求項３または請求項４に記載の簾箱。
【請求項６】
前記図柄が、相撲に関する図柄である請求項１または請求項２または請求項３または請求項４に記載の簾箱。
【請求項７】
前記図柄が、野球に関する図柄である請求項１または請求項２または請求項３または請求項４に記載の簾箱。
【請求項８】
前記図柄が、歌舞伎あるいは文楽に関する図柄である請求項１または請求項２または請求項３または請求項４に記載の簾箱。
【考案の詳細な説明】
【技術分野】
【０００１】
本考案は、簾を箱状にした簾箱に関するものである。
【背景技術】
【０００２】
従来、特許文献１に開示されているような食欲をそそる弁当箱が存在する。
【先行技術文献】
【特許文献】
【０００３】
【特許文献１】特開２００８−１０００２４号公報
【考案の概要】
【考案が解決しようとする課題】
【０００４】
上記特許文献１に開示されている弁当箱は、緑色の仕切り板を用いたものであるが、弁当箱全体の高級感を演出できるものではなかった。
【課題を解決するための手段】
【０００５】
本考案は、弁当箱あるいは贈答品を入れる贈答箱として使用できる高級感のある簾箱の提供を目的とし、この目的の少なくとも一部を達成するために以下の手段を採った。
本考案の簾箱は、簾に図柄を印刷し、印刷面が表面となるように該簾で箱体を形成したことを要旨とする。
【考案の効果】
【０００６】
外観が簾であるため和的な高級感が得られ、内部に収納する料理等の品位を高めて、商品価値を向上させることができるものとなる。
【０００７】
また、本考案の簾箱が、弁当箱であるものとすることもできる。
こうすれば、弁当箱として使用する際に、内部に入れた料理等の品位が高まり、高級感を漂わせて商品価値が高まるものとなる。
【０００８】
また、本考案の簾箱が、贈答品を入れる贈答箱であるものとすることもできる。
こうすれば、内部に入れる総菜等の贈答品の品位が高まり、全体としての高級感が得られて商品価値が高まるものとなる。
【０００９】
また、本考案の簾箱において、グラビア転写印刷により前記図柄が簾に印刷されているものとすることもできる。
こうすれば、グラビア転写印刷により良好に図柄を簾に印刷して、全体の高級感を向上させることができるものとなる。
【００１０】
また、本考案の簾箱において、前記図柄が、春・夏・秋・冬を表わす季節の図柄であるものとすることもできる。
こうすれば、弁当箱あるいは贈答箱として使用する際に、図柄による季節感が得られ、その季節に応じた料理等を内部に入れて提供することができるものとなる。
【００１１】
また、本考案の簾箱において、前記図柄が、相撲に関する図柄であるものとすることもできる。
こうすれば、相撲を観戦する人に対し販売する弁当等に用いることで、相撲観戦に対応した高級な雰囲気が得られるものとなる。
【００１２】
また、本考案の簾箱において、前記図柄が、野球に関する図柄であるものとすることもできる。
こうすれば、野球観戦する人に対し販売する弁当箱として用いることで、野球観戦に対応した高級な雰囲気が得られるものとなる。
【００１３】
また、本考案の簾箱において、前記図柄が、歌舞伎あるいは文楽に関する図柄であるものとすることもできる。
こうすれば、歌舞伎あるいは文楽を観覧する人に対し販売する弁当箱として用いることで、歌舞伎等の雰囲気に対応した高級感を演出することができるものとなる。
【図面の簡単な説明】
【００１４】
【図１】弁当箱として用いられる簾箱の斜視構成図である。
【図２】図１の簾箱の上面を開けた状態の斜視構成図である。
【図３】春を表わす桜の図柄が印刷された簾の平面図である。
【図４】夏を表わす朝顔の図柄が印刷された簾の平面図である。
【図５】秋を表わす紅葉の図柄が印刷された簾の平面図である。
【図６】冬を表わす椿の図柄が印刷された簾の平面図である。
【図７】相撲に関する図柄が印刷された簾の平面図である。
【考案を実施するための形態】
【００１５】
次に、本考案を実施するための形態を実施例を用いて説明する。
図１は、弁当箱として用いられる簾箱１の斜視構成図であり、図２は、この簾箱１の上面側を開けた状態の斜視構成図である。
この簾箱１は、簾２を用いて箱状に組み立てたものであり、簾２は、細く割った竹を糸で編み連ねて形成したもので、本例では、この簾２の表面にはグラビア転写印刷により図柄Ｐが印刷されており、図１では、図柄Ｐは秋を表わす紅葉の図柄となっている。
【００１６】
簾２は、板材で長方形状に枠組みした外周木枠３の底側および側面および上面に配置され、外周木枠３の底側全面に簾２の底面２ａが固定され、さらに外周木枠３の対向する側面にそれぞれ貼着等されて簾２の側面２ｂ，２ｃが固定され、簾２の上面２ｄ，２ｅが外周木枠３の上面に対向状に開閉可能に覆設されて、外周のほぼ全域に簾２が配置され、簾２の表面側に印刷した図柄Ｐが視認できるように構成されている。
【００１７】
なお、外周木枠３内には、木製の縦仕切枠４および横仕切枠５が交差状に嵌め込まれており、各縦仕切枠４と横仕切枠５で区画された複数の空間内に、それぞれ種類の異なる惣菜あるいはご飯を入れ、上面側を簾２の上面２ｄ，２ｅで覆蓋し、さらにその外周を図示しない包装用紙で包むことで、商品としての弁当が形成され、この弁当は観光地やデパート等で売り出されるものである。
【００１８】
なお、簾の底面２ａ上に、抗菌性等のシートを敷設して、その上に料理を載せる等すれば、料理等をより衛生的に保持できるものとなる。
このように構成した簾箱１を弁当箱として使用すれば、簾２の外観および手触り感、あるいは印刷された図柄Ｐにより、極めて高級感を呈する弁当箱となり、内側に収納される料理等の品位も高められるものである。
【００１９】
なお、簾２は、竹製の長尺の簾を形成しておき、この長尺の簾に、転写ローラー等を用いてグラビア転写印刷を施し、連続したエンドレスの図柄Ｐを印刷して、その後に、外周木枠３の形状寸法に対応した所定寸法に簾２を切断して、この簾２を外周木枠３の外周に巻着状に固設して簾箱１を形成することができるものである。
【００２０】
なお、図３〜図７に示すように、簾２の表面に印刷される図柄Ｐは種々のものが用意されており、図３では、桜の模様の図柄Ｐが印刷され、このような図柄の簾２を用いた弁当箱は春に使用されるものである。
また、図４に示す図柄Ｐは朝顔であり、このような朝顔の図柄Ｐを印刷した簾２を用いた簾箱１は夏に用いられるものである。
また、図５には紅葉の図柄Ｐが印刷されており、この紅葉が印刷された簾２は、秋の弁当箱として用いることができる。
また、図６は椿の図柄Ｐが印刷されたものであり、このような簾２を用いた簾箱１は、冬の弁当箱として使用できるものである。
その他、季節感を表わす他の植物や花や風景等の季節の図柄Ｐを簾２に印刷して、春・夏・秋・冬の季節に対応させることが可能である。
【００２１】
また、図７に示すように、力士の取り組みの型を印刷した相撲図柄Ｐの簾２を用いた簾箱１においては、相撲弁当として相撲の観戦者に相撲場等で販売されるものであり、相撲の観戦中にこのような相撲弁当を食することで、より相撲観戦の雰囲気を高めることができるものとなる。
また、相撲に限らず、野球場等で販売される弁当箱には、簾２に野球に関する図柄Ｐを印刷して用いることができ、その他、歌舞伎，文楽の劇場等で販売される弁当には、歌舞伎あるいは文楽に関する図柄Ｐを印刷した簾２を用いて、歌舞伎場とか文楽の観覧者に対して高級感のある弁当を販売できるものとなる。
【００２２】
なお、本例では、弁当箱としての使用態様を例示しているが、このような簾箱１は、贈答品を入れる贈答箱としても用いることができものであり、例えば、内部に惣菜や地域の特産加工品等を入れて、贈答箱として土産物店あるいは配送センター等で用いることができ、簾２により高級感のある贈答箱となり、しかも内部に収納される贈答品の品位を良好に高めることができるものとなる。
【００２３】
なお、本例では、簾箱１は、竹製の簾２を用いたものを例示しているが、葦や樹脂製の簾２であっても良く、また、グラビア転写印刷の他にスクリーン印刷等で簾２に図柄Ｐを印刷したものであっても良い。
【符号の説明】
【００２４】
１  簾箱（弁当箱）
２  簾
２ａ  底面
２ｂ，２ｃ  側面
２ｄ，２ｅ  上面
３  外周木枠
４  縦仕切枠
５  横仕切枠
Ｐ  図柄
【図１】
0003154718.tif 000003
【図２】
0003154718.tif 000004
【図３】
0003154718.tif 000005
【図４】
0003154718.tif 000006
【図５】
0003154718.tif 000007
【図６】
0003154718.tif 000008
【図７】
0003154718.tif 000009